(57)【要約】【課題】  小型化を図りつつ、撮影や画像再生などの操作性を確保する上で有利であり、かつ、表示パネルのサイズを確保する上でも有利な、光学式ファインダを搭載した撮像装置を提供する。【解決手段】  カメラ本体部６と表示部７とで構成されており、カメラ本体部６には第２のビューファインダである光学式ファインダ３、メニューボタン４および編集ボタン５を備え、表示部７には第１のビューファインダである表示パネル２を備えている。  表示部７が移動することにより、撮影時に使用しない編集ボタン５は閉塞され、光学式ファインダ３が露出される。【選択図】  図３
2011097312.tif 000002
【特許請求の範囲】
【請求項１】
撮像素子および撮影光学系を有するカメラ本体部６と、画像を表示する表示部７を備えた撮像装置であって、表示部７に配設される第１のビューファインダ２と、カメラ本体部６に配設される第２のビューファインダ３とを備え、前記第１のビューファインダ２を、前記第２のビューファインダ３の接眼部を露出させない第１の位置と、前記第２のビューファインダ３の接眼部を露出させた第２の位置に移動可能に設けたことを特徴とする撮像装置。
【請求項２】
前記第１のビューファインダ２が前記第１の位置にあるときは再生モード、前記第２の位置にあるときは撮影モードに切り替える制御手段を有していることを特徴とする請求項１記載の撮像装置。
【請求項３】
前記第１のビューファインダ２が前記第１の位置にあるときに、露出し、操作可能な位置に配設された操作部材５を有し、前記操作部材５が再生表示、編集、通信のいずれかに関する機能の指示手段であることを特徴とする請求項１又は２記載の撮像装置。
【請求項４】
前記第１のビューファインダ２は前記第１の位置と第２の位置で前記カメラ本体部６に対して、長辺方向の向きが異なるように直角に回転移動し、前記第１のビューファインダ２の回転に合わせて表示画像も回転することを特徴とする請求項３記載の撮像装置。
【請求項５】
前記第２のビューファインダ３が光学式ファインダであることを特徴とする請求項１〜４いずれか１項に記載の撮像装置。
【発明の詳細な説明】
【技術分野】
【０００１】
本発明は撮像装置に関する。
【背景技術】
【０００２】
デジタルスチルカメラなどの撮像装置には、光学式ファインダと撮像素子によって撮影された画像などを表示する表示パネル、撮影や画像の再生時に使用する操作部材などを備えている。
【０００３】
そして、撮影時には光学式ファインダまたは、表示パネルを見ながら、被写体の位置や構図を確認し、操作部材に割り当てられたズームボタンやシャッターボタンを操作する。
【０００４】
また、撮影した画像を鑑賞する際は、同じく操作部材を操作し、画像の選択や削除などを行う。
【０００５】
ところで、表示パネルを大型化するために、光学式ファインダを搭載せず、操作部材は表示パネルに閉塞されるように配置し、表示パネルをカメラ本体に対して相対移動させることで操作部材を露出させる撮像装置が提案されている（特許文献１）が、これだと、光学式ファインダを搭載していないため表示パネルが外光などの影響で見えにくくなった場合は、撮影しづらいことがある。
【先行技術文献】
【特許文献】
【０００６】
【特許文献１】特開２００７−１５８７９９号公報
【発明の概要】
【発明が解決しようとする課題】
【０００７】
しかしながら、近年、撮像装置は小型化が進み、光学式ファインダと表示パネルや操作部材のレイアウトが困難になってきている。表示パネルの面積を拡大するために操作部材の数を少なくすれば操作性は損なわれてしまい、光学式ファインダを搭載できない事態も生じる。逆に操作性を確保し、さらに、光学式ファインダも搭載すれば表示パネルは小さくなり見づらいものとなってしまう。
【０００８】
そこで、本発明の目的は、カメラ本体の小型化を図りつつ、光学式ファインダを搭載し、撮影や画像再生などの操作性を確保する上で有利であり、かつ、表示パネルのサイズを拡大することが可能な撮像装置を提供することにある。
【課題を解決するための手段】
【０００９】
請求項１に記載の発明は、撮像素子および撮影光学系を有するカメラ本体部６と、画像を表示する表示部７を備えた撮像装置であって、表示部７に配設される第１のビューファインダ２と、カメラ本体部６に配設される第２のビューファインダ３とを備え、前記第１のビューファインダ２を、前記第２のビューファインダ３の接眼部を露出させない第１の位置と、前記第２のビューファインダ３の接眼部を露出させた第２の位置に移動可能に設けたことを特徴とする。
【００１０】
請求項２に記載の発明は、請求項１において、前記第１のビューファインダ２が前記第１の位置にあるときは再生モード、前記第２の位置にあるときは撮影モードに切り替える制御手段を有していることを特徴とする。
【００１１】
請求項３に記載の発明は、請求項１又は２において、前記第１のビューファインダ２が前記第１の位置にあるときに、露出し、操作可能な位置に配設された操作部材５を有し、前記操作部材５が再生表示、編集、通信のいずれかに関する機能の指示手段であることを特徴とする。
【００１２】
請求項４に記載の発明は、請求項３において、前記第１のビューファインダ２は前記第１の位置と第２の位置で前記カメラ本体部６に対して、長辺方向の向きが異なるように直角に回転移動し、前記第１のビューファインダ２の回転に合わせて表示画像も回転することを特徴とする。
【００１３】
請求項５に記載の発明は、請求項１〜４のいずれかにおいて、前記第２のビューファインダが光学式ファインダであることを特徴とする。
【発明の効果】
【００１４】
請求項１に記載の発明によれば、第２のビューファインダを搭載しつつも、表示パネルを大型化することができる。
【００１５】
請求項２に記載の発明によれば、表示部の移動により、自動的に撮影、再生モードが切り替わるため、不要な操作を省略できる。
【００１６】
請求項３に記載の発明によれば、表示部によって閉塞される位置に、操作部材を設けることができるので、操作性の面でも有利となり、再生モードにおける多機能化が容易となる。
【００１７】
請求項４に記載の発明によれば、表示部の移動を回転移動にすることで、並進移動の際には使用できなかったスペースを活用できるため、操作部材のレイアウトの自由度が増す。
【００１８】
請求項５の発明によれば、外光の影響などで、表示パネルが見えづらいときには、光学式ファインダを撮影に使用することができるので、撮影における選択肢が広がる。
【図面の簡単な説明】
【００１９】
【図１】図１は第１の実施形態であるコンパクトデジタルスチルカメラ１の表示部７が第１の位置にあるとき（再生モード）を表した図である。
【図２】図２は第１の実施形態であるコンパクトデジタルスチルカメラ１の表示部７が第２の位置にあるとき（撮影モード）を表した図である。
【図３】図３は第２の実施形態であるコンパクトデジタルスチルカメラ１の表示部７が第１の位置にあるとき（再生モード）を表した図である。
【図４】図４は第１の実施形態であるコンパクトデジタルスチルカメラ１の表示部７が第２の位置にあるとき（撮影モード）を表した図である。
【図５】図５は第２の実施形態であるコンパクトデジタルスチルカメラ１の表示部７が第１の位置にあるとき（再生モード）を表した図である。
【図６】図６は第１の実施形態であるコンパクトデジタルスチルカメラ１の表示部７が第２の位置にあるとき（撮影モード）を表した図である。
【図７】図７は図１、図２に示す、第１の実施形態であるコンパクトデジタルスチルカメラ１の表示部７が移動する機構をカメラ本体の背面側から見た図である。
【図８】図８は図５に示す、第３の実施形態であるコンパクトデジタルスチルカメラ１の表示部７が移動する機構をカメラ本体の背面側から見た図である。
【図９】図９は図８に示す、第３の実施形態であるコンパクトデジタルスチルカメラ１の表示部７が移動する機構の途中経過を表した図である。
【図１０】図１０は、本発明の第１〜第３の実施形態の撮像装置でコンパクトデジタルスチルカメラの一例を示した外観斜視図である。
【発明を実施するための形態】
【００２０】
以下、本発明の実施の形態を図を参照して説明する。
【００２１】
図１０は、本発明の第１〜第３の実施形態の撮像装置でコンパクトデジタルスチルカメラの一例を示した外観斜視図である。
【００２２】
まず、図１０を参照して本発明の第１〜第３の実施形態であるコンパクトデジタルスチルカメラについて説明する。
【００２３】
このコンパクトデジタルスチルカメラ１は、厚さ方向に分割されたカメラ本体部６と表示部７とで構成されている。また、カメラ本体部６にはレンズ鏡筒１０１が設けられ、フラッシュ発光部１０２、メインスイッチ１０３、撮影スイッチ１０４、ズームレバー１０５、光学式ファインダ対物窓１０６および測光用受光窓１０７が配置されている。
【００２４】
メインスイッチ１０３は、電源の投入および遮断を切り替えるスイッチである。撮影スイッチ１０４は、半押し操作によって測光、測距（ＡＦ）等の撮影準備動作を行わせ、全押し操作によって画像の撮影および記録を行わせるスイッチである。ズームレバー１０５は、回転操作することで、レンズ鏡筒１０１にズーム動作を行わせる。なお、図示は省略するが、カメラ本体部６にはレンズ鏡筒１０１の撮影光学系により形成された被写体像を光電変換するＣＣＤセンサ、ＣＭＯＳセンサ等の撮像素子が搭載されている。
【実施例１】
【００２５】
次に、図１、図２および図７を参照して、本発明の第１の実施形態について説明する。
【００２６】
図１は第１の実施形態であるコンパクトデジタルスチルカメラ１の表示部７が第１の位置にあるとき（再生モード）を表した図である。
【００２７】
図２は第１の実施形態であるコンパクトデジタルスチルカメラ１の表示部７が第２の位置にあるとき（撮影モード）を表した図である。
【００２８】
図７は図１、図２に示す、第１の実施形態であるコンパクトデジタルスチルカメラ１の表示部７が移動する機構をカメラ本体の背面側から見た図である。
【００２９】
コンパクトデジタルスチルカメラ１は厚さ方向に分割されたカメラ本体部６と表示部７とで構成されており、カメラ本体部６には第２のビューファインダである光学式ファインダ３、メニューボタン４を備え、表示部７には第１のビューファインダである表示パネル２を備えている。
【００３０】
次に、平行スライド機構について図７を用いて説明する。
【００３１】
図７に示すように、表示部７の背面にはガイドピン１１、１２とバネ掛けピン１３が設けられている。表示部７を移動する際には、ガイドピン１１、１２がカメラ本体部６に設けられたガイド溝１４、１５に摺動可能に嵌合しているため、上下方向に移動できるようになっている。
【００３２】
また、カメラ本体部６には、バネ掛けピン１３の移動ストロークのほぼ中点で、最も近接するようにバネ掛けピン１７が設けられており、ガイドピン１３との間にトーションバネ１６が組み込まれている。これにより、表示部７は、トーションバネ１６の開き力によって、再生モード時にはＡ方向に付勢され、撮影モード時にはＢ方向に付勢されることで、第１の位置、第２の位置に安定してとどまることとなる。
【００３３】
上記のようなスライド機構により、表示部７が平行移動することで、表示部７によって閉塞されていた光学式ファインダ３の接眼部が露出され、撮影に使用することができる。
【００３４】
これにより、撮影時には、表示パネル２と光学式ファインダ３の両方を使用することができるため、撮影の選択肢が広がる。
【００３５】
また、光学式ファインダ３を搭載しつつも、表示パネル２を大型化することができる。
【００３６】
この光学式ファインダ３は、レンズ鏡筒１０１（図５参照）とは別の異なる光学系を備えており、レンズ鏡筒１０１のズーム動作に合わせて、ズーム動作を行うようになっている。
【００３７】
さらに、表示部７を上下方向に平行移動することにより、光学式ファインダ３が露出されたことが不図示の検出手段によって検出されると、自動的に撮影モードに切り替わり、光学式ファインダ３が閉塞されたことが検出されると自動的に再生モードに切り替わる。
【００３８】
表示パネル２は撮像素子によって撮影された画像や種々の操作メニューなどを表示するものであり、本実施の形態では、液晶表示装置で形成されている。
【００３９】
メニューボタン４は、表示パネルにメニューを表示させる指令を行う機能やメニューの選択、確定および実行などの指令を行う機能、設定内容の変更、記録した画像の表示、選択、削除などの指令を行う機能を備えた操作キーとして使用される。
【実施例２】
【００４０】
次に、図３、図４および図７を参照して、本発明の第２の実施形態について説明する。
【００４１】
図３は第２の実施形態であるコンパクトデジタルスチルカメラ１の表示部７が第１の位置にあるとき（再生モード）を表した図である。
【００４２】
図４は第１の実施形態であるコンパクトデジタルスチルカメラ１の表示部７が第２の位置にあるとき（撮影モード）を表した図である。
【００４３】
図７は図３に示す、第２の実施形態であるコンパクトデジタルスチルカメラ１の表示部７が移動する機構をカメラ本体の背面側から見た図である。
【００４４】
第２の実施形態は第１の実施形態の変形例であり、第２の実施形態が第１の実施形態と異なるのは、メニューボタン４の他に編集ボタン５を設置し、操作性や再生、編集などの機能を向上させた点である。
【００４５】
なお、以下の実施の形態では、第１の実施形態と同一の部材に関しては、同一の符号を付してその説明を省略する。
【００４６】
第２の実施形態においても、第１の実施形態と同じく、図７に示す機構のもと、表示部７を平行移動させることにより、編集ボタン５は表示部７によって閉塞される一方で、光学式ファインダ３が露出し撮影に使用できるようになる。
【００４７】
これにより、光学式ファインダ３と編集ボタン５および表示パネル２のレイアウトの自由度が上がり、光学式ファインダ３と編集ボタン５を搭載しつつ、表示パネル２を大型化することができる。
【００４８】
また、表示部７を上下方向に平行移動することにより、光学式ファインダ３が露出されたことが不図示の検出手段によって検出されると、自動的に撮影モードに切り替わり、逆に表示部７が移動することにより、光学式ファインダ３が閉塞されたことが検出されると自動的に再生モードに切り替わる。
【００４９】
メニューボタン４は、表示パネル２にメニューを表示させる指令を行う機能やメニューの選択、確定および実行などの指令を行う機能、設定内容の変更などの指令を行う機能を備えている。
【００５０】
編集ボタン５は、撮影モード時には閉塞されるため、撮影時には使用しない機能を備えている。たとえば、記録した画像の表示、選択、削除などの指令を行う機能や名前などの画像情報の編集、プリンタや他のカメラとの画像データの送受信、画像データを保存するファイルの作成、管理などを行える機能などである。その他にも、撮影した画像を加工（被写体の表情を加工したり、フレームやスタンプなどを付加する）する機能なども備えることが可能である。
【００５１】
このように、編集ボタン５を設けることで操作性が向上するだけでなく、メニューボタン４だけでは実行できない、複雑な操作を行うことができる。
【実施例３】
【００５２】
次に、図５、図６、図８および図９を参照して、本発明の第３の実施形態について説明する。
【００５３】
図５は第２の実施形態であるコンパクトデジタルスチルカメラ１の表示部７が第１の位置にあるとき（再生モード）を表した図である。
【００５４】
図６は第１の実施形態であるコンパクトデジタルスチルカメラ１の表示部７が第２の位置にあるとき（撮影モード）を表した図である。
【００５５】
図８は図５に示す、第３の実施形態であるコンパクトデジタルスチルカメラ１の表示部７が移動する機構をカメラ本体の背面側から見た図である。
【００５６】
図９は図８に示す、第３の実施形態であるコンパクトデジタルスチルカメラ１の表示部７が移動する機構の途中経過を表した図である。
【００５７】
第３の実施形態は第２の実施形態の変形例であり、第３の実施形態が第２の実施形態と異なるのは、表示部７が回転移動する点にある。
【００５８】
なお、以下の実施の形態では、第２の実施形態と同一の部材に関しては、同一の符号を付してその説明を省略する。
【００５９】
まず、回転スライド機構について、図８、図９を用いて説明する。
【００６０】
図８に示すように、表示部７の背面にはガイドピン２１、２２が設けられており、表示部７を移動する際には、ガイドピン２１、２２がカメラ本体部６に設けられたガイド溝２３、２４に沿って摺動可能に嵌合しているため、回転移動できるようになっている。また、図９に示すようにカメラ本体部６には、ガイドピン２２の移動ストロークのほぼ中点で最も遠のくようにバネ掛けピン２６が設けられおり、ガイドピン２２との間にトーションバネ２５が組み込まれている。これにより、表示部６は、トーションバネ２５の閉じ力によって、再生モード、撮影モード時ともに下方向に付勢されることで、第１の位置、第２の位置に安定してとどまることとなる。
【００６１】
上記のような回転スライド機構により、表示部７が回転移動することで、編集ボタン５は表示部７によって閉塞される一方で、光学式ファインダ３が露出され、撮影に使用することができる。
【００６２】
これにより、光学式ファインダ３と編集ボタン５および表示パネル２のレイアウトの自由度が上がり、光学式ファインダ３と編集ボタン５を搭載しつつ、表示パネル２を大型化することができる。
【００６３】
このとき編集ボタン５は、第２の実施形態とレイアウトを変更し、表示部７とメニューボタン４との間などに設置することができる。
【００６４】
また、表示部７を回転移動することにより、光学式ファインダ３が露出されたことが不図示の検出手段によって検出されると、自動的に撮影モードに切り替わり、逆に表示部７が回転移動することにより、光学式ファインダ３が閉塞されたことが検出されると自動的に再生モードに切り替わる。
【００６５】
第２の実施形態と同様に、メニューボタン４には、メニューを表示させ、選択、確定させる機能や撮影時に使用する機能を備えており、編集ボタン５には、再生や編集などの撮影時に使用しない機能を備えている。
【００６６】
なお、本発明は上記実施形態に例示したものに限定されるものではなく、本発明の要旨を逸脱しない範囲において適宜変更可能である。
【符号の説明】
【００６７】
１  コンパクトデジタルスチルカメラ
２  表示パネル
３  光学式ファインダ
４  メニューボタン
５  操作ボタン
６  カメラ本体部
７  表示部
１１、１２、２１、２２  ガイドピン
１３、１７、２６  バネ掛けピン
１４、１５、２３、２４  ガイド溝
１６、２５  トーションバネ
１０１  レンズ鏡筒
１０２  フラッシュ発光部
１０３  メインスイッチ
１０４  撮影スイッチ
１０５  ズームレバー
１０６  光学式ファインダ対物窓
１０７  測光用受光窓
【図１】
2011097312.tif 000003
【図２】
2011097312.tif 000004
【図３】
2011097312.tif 000005
【図４】
2011097312.tif 000006
【図５】
2011097312.tif 000007
【図６】
2011097312.tif 000008
【図７】
2011097312.tif 000009
【図８】
2011097312.tif 000010
【図９】
2011097312.tif 000011
【図１０】
2011097312.tif 000012